(57)【要約】【課題】広い設置場所を必要とせず、設備コストを低減できるようにする。【解決手段】支柱１における地上作業可能な高さ部位には、下部アーム３が固定されており、支柱１の上端部には上部アーム２が固定されている。上部アーム２に第１および第２の滑車８、９が配設されており、手動ウインチ６から繰り出された２本のワイヤーロープ５ａ、５ｂのワイヤーロープ合流部５が、第１の滑車８にかけ回され、一方のワイヤーロープ５ａが昇降アーム１０の一端側に結合されており、第２の滑車９にかけ回された他方のワイヤーロープ５ｂが昇降アーム１０の他端側に結合されている。ワイヤーロープ合流部５およびガイドロープ４には昇降アーム１０の両端の安定リング１２がそれぞれ遊嵌されており、手動ウインチ６により昇降アーム１０を巻き上げることにより、ホースハンガー１３に大量の消防用ホース２０を吊り下げて乾燥することができる。【選択図】図１
2005198675.tif 000002
【特許請求の範囲】
【請求項１】
立設された１本の支柱と、前記支柱の上端部に一端側が固定された上部アームと、前記支柱の地上作業可能な高さ部位に一端側が固定された下部アームと、前記支柱の前記下部アームよりも下方部位に配設された巻き上げおよび巻き下げを行う合流した２本のワイヤーロープを有するウインチと、前記上部アームの他端側と前記下部アームの他端側とに張り渡されたガイドロープと、前記上部アームの一端側に配設された第１の滑車と、前記上部アームの他端側に配設された第２の滑車と、ホースを吊り下げるホースハンガーを有するとともに両端に安定リングを有する昇降アームとを備えたホース乾燥装置であって、
前記ウインチから繰り出された前記２本のワイヤーロープのワイヤーロープ合流部を前記第１の滑車にかけ回し、方向転換させた一方のワイヤーロープが前記昇降アームに結合されているとともに、前記第２の滑車にかけ回して方向転換させた他方のワイヤーロープが前記昇降アームに結合されており、
前記昇降アームは、一端側の前記安定リングが前記ワイヤーロープ合流部に遊嵌されているとともに他端側の前記安定リングが前記ガイドロープに遊嵌されており、前記ワイヤーロープ合流部および前記ガイドロープに案内されて前記上部アームと前記下部アーム間で昇降するように構成されていることを特徴とするホース乾燥装置。
【請求項２】
ウインチは、着脱自在なハンドルを有する手動ウインチであることを特徴とする請求項１記載のホース乾燥装置。
【請求項３】
支柱は、地中に埋設されたベースを介して立設されていることを特徴とする請求項１または２記載のホース乾燥装置。
【請求項４】
下部アームは、平行な一対の丸材からなる縦部材を複数の板材からなる横部材で結合した枠状体であって、各縦部材の外側面には複数の係止部材が上方に向かって突設されていることを特徴とする請求項１ないし３いずれか１項記載のホース乾燥装置。
【請求項５】
下部アームは、各横部材の長手方向略中央部位にそれぞれ貫通孔を有し、前記貫通孔には伸縮棒部材が伸縮自在に嵌挿されていることを特徴とする請求項４記載のホース乾燥装置。
【発明の詳細な説明】
【技術分野】
【０００１】
本発明は、洗浄済の消防用ホース等を一度に大量に吊り下げて乾燥させるためのホース乾燥装置に関するものである。
【背景技術】
【０００２】
消防用ホースは、使用後に洗浄して汚れを落としたのち、乾燥を行う必要がある。洗浄済の消防用ホースの乾燥は、作業者が消防用ホースを火の見櫓やポール等に登梯して吊り下げる等の高所での作業を伴なうため、作業者の負担が大であるばかりでなく、安全性の確保についても厳重な注意を払わなければならない。
【０００３】
その一方で、作業者の負担を軽減するため、使用後の大量の消防用ホースの洗浄および乾燥を行うことができる消防用ホースの洗浄装置が提案されている。
【０００４】
例えば、特許文献１には、消防用ホースの洗浄および吊り下げ乾燥を行うことができる消防用ホースの洗浄装置が開示されている。
【０００５】
この消防用ホースの洗浄装置は、図４に示すように、取付桿１０１の両端部を上下動可能に案内する一対の支柱１０３と、取付桿１０１に互いに間隔をおいて取り付けられた複数のホース吊り掛け具１０２と、一対の支柱１０３に上下動可能に案内された洗浄ボックス１０４と、を備えている。各ホース吊り掛け具１０２に消防用ホースを巻回して吊り下げてその両端をホース留め具１０６に係止した状態で、洗浄ボックス１０４を上下動させて洗浄ブラシ１０５の回転と放水を行うことにより、複数のホースの洗浄を行ったのち、洗浄ボックス１０４を下方位置に下降させ、洗浄済の消防用ホースをホース吊り掛け具１０２によって吊り下げた状態で乾燥するように構成されている。
【０００６】
なお、取付桿１０１に取り付けられたホース吊り掛け具１０２の上下動は、一方のモータ１１１を正逆回転させてシャフト１１２と一体回転する一対のドラム１１３にそれぞれ巻回されたワイヤ１１４の巻き取り長さを変化させて行う。一方、洗浄ボックス１０４の上下動は、他方のモータ１２１を正逆回転させてシャフト１２２と一体回転する一対のスプロケット１２３にそれぞれ巻回されたチェーン１２５を正、逆方向（矢印方向）へ回動させて行う。
【特許文献１】特開平８−１９６２２号公報
【発明の開示】
【発明が解決しようとする課題】
【０００７】
上記特許文献１に開示された従来の技術は、大量の消防用ホースの洗浄および乾燥を行うためのものであって、装置の構造が複雑かつ大型であるため、設置場所に広いスペースを必要とするとともに、部品点数が多くなり、コスト高を招くという未解決の課題があった。
【０００８】
本発明は、上記未解決の課題に鑑みてなされたものであって、設置場所に広いスペースを必要とせず、設備コストを低減できる簡単な構造のホース乾燥装置を提供することを目的とするものである。
【課題を解決するための手段】
【０００９】
上記の目的を達成するため、本発明のホース乾燥装置は、立設された１本の支柱と、前記支柱の上端部に一端側が固定された上部アームと、前記支柱の地上作業可能な高さ部位に一端側が固定された下部アームと、前記支柱の前記下部アームよりも下方部位に配設された巻き上げおよび巻き下げを行う合流した２本のワイヤーロープを有するウインチと、前記上部アームの他端側と前記下部アームの他端側とに張り渡されたガイドロープと、前記上部アームの一端側に配設された第１の滑車と、前記上部アームの他端側に配設された第２の滑車と、ホースを吊り下げるホースハンガーを有するとともに両端に安定リングを有する昇降アームとを備えたホース乾燥装置であって、前記ウインチから繰り出された前記２本のワイヤーロープのワイヤーロープ合流部を前記第１の滑車にかけ回し、方向転換させた一方のワイヤーロープが前記昇降アームに結合されているとともに、前記第２の滑車にかけ回して方向転換させた他方のワイヤーロープが前記昇降アームに結合されており、前記昇降アームは、一端側の前記安定リングが前記ワイヤーロープ合流部に遊嵌されているとともに他端側の前記安定リングが前記ガイドロープに遊嵌されており、前記ワイヤーロープ合流部および前記ガイドロープに案内されて前記上部アームと前記下部アーム間で昇降するように構成されていることを特徴とするものである。
【００１０】
また、ウインチは、着脱自在なハンドルを有する手動ウインチであることを特徴とするものが好ましい。
【００１１】
さらに、支柱は、地中に埋設されたベースを介して立設されていることを特徴とするものが好ましい。
【発明の効果】
【００１２】
本発明は、上述のとおり構成されているので、次に記載するような効果を奏する。
【００１３】
長尺で大径のホースであっても、昇降アームを地上の作業者の作業位置まで降下させて大量のホースを引っかけたのち、ウインチのワイヤーロープを巻き上げて支柱上方部位に吊り上げることができるため、高所での作業を必要とせず、作業者の安全性の確保と省力化が可能となる。
【００１４】
昇降アームが、ウインチと上部アームの一端側の第１の滑車との間におけるワイヤーロープ合流部と、上部アームの先端側と下部アームの先端側との間にかけ渡されたガイドロープに案内されて上昇および下降するため、風等の影響を受けて昇降アームが振れて吊り下げられたホースが不用意に落下するおそれもなく、ホースの吊り上げ作業等の効率が向上する。
【００１５】
支柱が１本で済むため、設置場所に広いスペースを必要とせず、また、電柱に用いられているようなコンクリート製の支柱等を利用できるとともに、部品点数が少ないため、設備コストを低減することが可能である。
【発明を実施するための最良の形態】
【００１６】
本発明に係るホース乾燥装置の一実施の形態を図面を参照しつつ説明する。
【００１７】
図１は一実施の形態によるホース乾燥装置全体を示す模式正面図である。
【００１８】
図１に示すように、電柱に用いられているものと同様のコンクリート製の支柱１は、地中に埋設された基礎部分であるベース１ａを介して立設（地上高さ１１ｍ以上）されている。また、自動車等が支柱１に衝突して支柱１が破損されないようにするため、ベース１ａの４隅には、それぞれ目立つ色彩の安全ポール１４が立設されている。支柱１における地上作業可能な高さ部位には、略水平方向に突き出した下部アーム３の一端側が締結バンド３ｃ等の固着手段を介して固定されており、支柱１の上端には下部アーム３と同方向へ突き出した上部アーム２の一端側が締結バンド２ｃ等の固着手段を介して固定されている。
【００１９】
支柱１の下部アーム３よりも下方部位には、着脱自在なカバー７ａを有するウインチ箱７が固定されており、このウインチ箱７内には、ハンドル操作でワイヤーロープ合流部５の巻き取り長さを変化できる手動ウインチ６が配設されている。
【００２０】
一方、上部アーム２は支柱側端近傍部位に軸受部材８ａを介して回転自在に軸支された第１の滑車８と、上部アーム２の反支柱側端部位に軸受部材９ａを介して回転自在に軸支された第２の滑車９を備えている。
【００２１】
手動ウインチ６は、２本のワイヤーロープ５ａ、５ｂを重ね合わせたワイヤーロープ合流部５が巻回された巻取りドラム（不図示）を有している。ワイヤーロープ合流部５は手動ウインチ６の前記ドラムから繰り出されて第１の滑車８にかけ回され、方向転換された一方のワイヤーロープ５ａの先端部が昇降アーム１０の一端近傍部位に結合されており、他方のワイヤーロープ５ｂが第２の滑車９にかけ回されて方向転換されて昇降アーム１０の他端近傍部位に結合されている。
【００２２】
なお、手動ウインチ６は、ハンドルが着脱自在なものを用い、使用時にハンドルを取り付けるようにするとよい。また、ラチェット機構を含むメカニカル自動ブレーキを備えたものを用いるとよい。
【００２３】
昇降アーム１０は、図２の（ａ）、（ｂ）に示すように、断面形状がＩ字状の本体部１１と、本体部１１の長手方向に互いに間隔をおいて一体的に設けられた複数（図示のものは３個）のホースハンガー１３と、本体部１１の両端部近傍部位に上方へ向かってそれぞれ突設された一対のストッパ１５と、本体部１１の両端にそれぞれ外方へ向けて突設された一対の安定リング１２とを有している。
【００２４】
本実施の形態において各ホースハンガー１３は、本体部１１の両側へ突き出た平面視略Ｈ字状の棒状部材からなり、上方へ向かって折れ曲がった先端部１３ａを設けることにより、吊り下げられたホースが脱落しないように構成されている。
【００２５】
また、ストッパ１５は、上部アーム２が第１および第２の滑車８、９の各軸受部材８ａ、９ａの下端面に相対する部位に突設されたスペーサ１５ａと、スペーサ１５ａの頂面に配設されたゴムやエラストマ等からなる弾性部材１５ｂから構成されている。
【００２６】
なお、ストッパ１５は、必ずしも設ける必要はないが、ストッパ１５を設けておくと、昇降アーム１０を上昇させた際に操作を間違えて上部アーム２に衝突したとしても、衝突の衝撃が緩衝され、吊り下げられた消防用ホース２０の脱落等を防止することができる。加えて、後述するホース乾燥時において、昇降アーム１０が風の影響を受けて振れようとするが、弾性部材１５ｂの弾力性により衝撃が緩衝される他、滑車８、９および安定リング１２に接するワイヤーロープ５ａ、５ｂやガイドロープ４の振れによる摩耗を防止することができる。
【００２７】
上部アーム２は、図２の（ａ）、（ｃ）に示すように、平行な一対のＩ型材からなる縦部材２ａを、複数の広幅な横部材２ｂで結合した枠状体であって、支柱１への取り付け強度を増大させるため、上部アーム２の略中央部と支柱１との間に突っ張り部材２ｄが介在されている。
【００２８】
下部アーム３は、吊り下げられた消防用ホース２０の下端側を一時的に固定して振れを防止する機能と、昇降アーム１０を降下させて下部アーム３上に載置し、後述する複数の係止部材３ｄの内側に収納する格納機能と、昇降アーム１０が万一落下したとしても、受け止めることができる安全機能等を備えている。
【００２９】
図３に示すように、下部アーム３は、平行な一対の丸材からなる縦部材３ａを複数の板材からなる横部材３ｂで結合した枠状体であって、各縦部材３ａの外側面には複数の係止部材３ｄが上方に向かって突設されている（図示のものは２個）。
【００３０】
また、各横部材３ｂの長手方向略中央部位には、それぞれ貫通孔を設け、各貫通孔に矢印方向および反矢印方向に伸縮自在に伸縮棒部材１６が嵌挿されている。
【００３１】
なお、図示しないが、横部材３ｂの貫通孔と伸縮棒部材１６とは、伸縮棒部材１６の回転角度によって軸方向の係止状態が解除される突片および切欠部を有しており、係止状態が解除される回転角度に伸縮棒部材を回転させると矢印方向へ引き出すことができる。
【００３２】
次に、本実施の形態によるホース乾燥装置の作用について説明する。
【００３３】
（１）ウインチ箱７からカバー７ａを取り外し、手動ウインチ６にハンドル（不図示）を取り付ける。
【００３４】
（２）上記（１）ののち、昇降アーム１０の各ホースハンガー１３にそれぞれ乾燥すべき消防用ホース２０を長手方向中間部位で二つ折りにしてかけ回し、必要に応じてずれ落ちないようにひもまたは止め具等によって係止する。
【００３５】
（３）上記（２）ののち、手動ウインチ６のハンドル操作によって、ワイヤーロープ合流部５を含む一方のワイヤーロープ５ａおよび他方のワイヤーロープ５ｂの巻き上げを行い、昇降アーム１０を上部アーム２に向けて上昇させてホースハンガー１３にかけ回された大量の消防用ホース２０を一度に吊り上げる。
【００３６】
（４）上記（３）ののち、各ストッパ１５の弾性部材１５ｂが上部アーム２の各軸受部材８ａ、９ａの下面に軽く当接したらハンドル操作を止める。
【００３７】
（５）上記（４）ののち、手動ウインチ６のロック機構を働かせてロックし、ハンドルを取り外してハンドルを収め、ウインチ箱７をカバー７ａで閉鎖した状態で吊り下げられた消防用ホース２０が自然乾燥するまで放置しておく。
【００３８】
（６）上記（５）ののち、ハンドル操作を巻き下げ方向に逆転させ、自動ブレーキを働かせつつ昇降アーム１０を下部アーム３上にまで下降させて係止部材３ｄの内側に収納し、乾燥済の消防用ホース２０を取り外す。
【００３９】
（７）上記（６）ののち、手動ウインチ６のハンドルを取り外し、ウインチ箱７内に収納したのち、カバー７ａによりウインチ箱７を閉鎖する。
【００４０】
本発明において、ウインチは、上述した手動ウインチに限らず、電源が容易に確保できる設置場所では電動ウインチを用いてもよい。
【００４１】
また、滑車、ボルト、ワイヤーロープ、ガイドロープ等の部品は、ステンレス製とすると耐久性が向上する。
【産業上の利用可能性】
【００４２】
本発明は、上述した消防用ホースの乾燥に限らず、各種用途の大量のホースの乾燥にも用いることができる。
【図面の簡単な説明】
【００４３】
【図１】一実施の形態によるホース乾燥装置の模式正面図である。
【図２】図１に示したホース乾燥装置における略上半部を示し、（ａ）は昇降途中の昇降アーム模式正面図、（ｂ）は昇降アームの模式上面図、（ｃ）は上部アームの模式上面図である。
【図３】図１に示したホース乾燥装置における略下半部を示し、（ａ）は模式正面図、（ｂ）は下部アームの模式上面図である。
【図４】一従来例による消防用ホースの洗浄装置の模式斜視図である。
【符号の説明】
【００４４】
１    支柱
２    上部アーム
３    下部アーム
４    ガイドロープ
５    ワイヤーロープ合流部
５ａ、５ｂ    ワイヤーロープ
６    手動ウインチ
７    ウインチ箱
７ａ    カバー
８、９    滑車
８ａ、９ａ    軸受部材
１０    昇降アーム
１１    本体部
１２    安定リング
１３    ホースハンガー
１４    安全ポール
１５    ストッパ
１５ａ    スペーサ
１５ｂ    弾性部材
１６    伸縮棒部材
２０    消防用ホース
２１    継手
【図１】
2005198675.tif 000003
【図２】
2005198675.tif 000004
【図３】
2005198675.tif 000005
【図４】
2005198675.tif 000006